(57)【要約】【課題】  ユーザが、指定しているシートに対して綴じの上限枚数または綴じの強度がより大きいまたは等しい他のシートがあることを確認できるようにする。【解決手段】  シートに画像を印刷し、複数のシートを綴じる綴じ処理を実行する画像処理装置は、印刷に使用するシートを指定する指定手段と、前記綴じ処理で綴じることができる上限枚数が前記指定手段で指定されているシートに対してより大きいまたは等しいシートをユーザに通知する通知手段とを有する。【選択図】  図８
2014141025.tif 000002
【特許請求の範囲】
【請求項１】
シートに画像を印刷し、複数のシートを綴じるよう綴じ部を制御する画像処理装置であって、
シートに画像を印刷する印刷手段と、
前記印刷手段によって画像が印刷された複数のシートを綴じる綴じ処理を実行するよう前記綴じ部を制御する制御手段と、
印刷に使用するシートを指定する指定手段と、
前記綴じ処理で綴じることができる上限枚数が前記指定手段で指定されているシートに対してより大きいまたは等しいシートをユーザに通知する通知手段を有することを特徴とする画像処理装置。
【請求項２】
前記指定手段で指定されているシートのサイズまたは種類に基づいて、前記綴じ処理で綴じることができる上限枚数が前記指定手段で指定されているシートに対してより大きいまたは等しいシートを決定する決定手段を有することを特徴とする請求項１に記載の画像処理装置。
【請求項３】
前記綴じ処理で綴じることができる上限枚数をシートの種類ごとに記憶する記憶手段と、
前記記憶手段に記憶されている上限枚数を参照して、前記指定手段で指定されているシートに対応する上限枚数と他のシートに対応する上限枚数とを比較して、前記綴じ処理で綴じることができる上限枚数が前記指定手段で指定されているシートに対してより大きいまたは等しいシートを決定する決定手段を有することを特徴とする請求項１に記載の画像処理装置。
【請求項４】
前記綴じ処理で綴じることができる上限枚数が前記指定手段で指定されているシートに対してより大きいまたは等しいシートが複数ある場合、前記決定手段は、前記綴じ処理で綴じることができる上限枚数が最も大きいシートを選択することを特徴とする請求項２または３に記載の画像処理装置。
【請求項５】
前記綴じ処理は針を使わずにシートを綴じ、
前記通知手段は、前記綴じ処理が指定されている場合に前記通知を行うことを特徴とする請求項１乃至４のいずれか１項に記載の画像処理装置。
【請求項６】
前記画像処理装置は、第１の綴じ部と第２の綴じ部を含む複数の綴じ部を有するシート処理装置と接続し、
前記通知手段は、前記第１の綴じ部による綴じ処理が指定されている場合には、前記通知を行わず、前記第２の綴じ部による綴じ処理が指定されている場合には、前記通知を行うことを特徴とする請求項１乃至４のいずれか１項に記載の画像処理装置。
【請求項７】
前記第１の綴じ部は針を使ってシートを綴じ、前記第２の綴じ部は針を使わずにシートを綴じることを特徴とする請求項６に記載の画像処理装置。
【請求項８】
シートに画像を印刷し、複数のシートを綴じるよう綴じ部を制御する画像処理装置であって、
シートに画像を印刷する印刷手段と、
前記印刷手段によって画像が印刷された複数のシートを綴じる綴じ処理を実行するよう前記綴じ部を制御する制御手段と、
印刷に使用するシートを指定する指定手段と、
前記綴じ処理による綴じの強度が前記指定手段で指定されているシートに対してより大きいまたは等しいシートをユーザに通知する通知手段を有することを特徴とする画像処理装置。
【請求項９】
前記指定手段で指定されているシートのサイズまたは種類に基づいて、前記綴じ処理による綴じの強度が前記指定手段で指定されているシートに対してより大きいまたは等しいシートを決定する決定手段を有することを特徴とする請求項８に記載の画像処理装置。
【請求項１０】
前記綴じ処理による綴じの強度をシートの種類ごとに記憶する記憶手段と、
前記記憶手段に記憶されている綴じの強度を参照して、前記指定手段で指定されているシートに対応する綴じの強度と他のシートに対応する綴じの強度とを比較して、前記綴じ処理による綴じの強度が前記指定手段で指定されているシートに対してより大きいまたは等しいシートを決定する決定手段を有することを特徴とする請求項８に記載の画像処理装置。
【請求項１１】
前記綴じ処理による綴じの強度が前記指定手段で指定されているシートに対してより大きいまたは等しいシートが複数ある場合、前記決定手段は、前記綴じ処理による綴じの強度が最も大きいシートを選択することを特徴とする請求項９または１０に記載の画像処理装置。
【請求項１２】
前記綴じ処理は針を使わずにシートを綴じ、
前記通知手段は、前記綴じ処理が指定されている場合に前記通知を行うことを特徴とする請求項８乃至１１のいずれか１項に記載の画像処理装置。
【請求項１３】
前記画像処理装置は、第１の綴じ部と第２の綴じ部を含む複数の綴じ部を有するシート処理装置と接続し、
前記通知手段は、前記第１の綴じ部による綴じ処理が指定されている場合には、前記通知を行わず、前記第２の綴じ部による綴じ処理が指定されている場合には、前記通知を行うことを特徴とする請求項８乃至１１のいずれか１項に記載の画像処理装置。
【請求項１４】
前記第１の綴じ部は針を使ってシートを綴じ、前記第２の綴じ部は針を使わずにシートを綴じることを特徴とする請求項１３に記載の画像処理装置。
【請求項１５】
シートに画像を印刷する印刷部と複数のシートを綴じる綴じ部とを制御する印刷制御装置であって、
シートに画像を印刷するよう前記印刷部を制御し、前記印刷部によって画像が印刷された複数のシートを綴じる綴じ処理を実行するよう前記綴じ部を制御する制御手段と、
印刷に使用するシートを指定する指定手段と、
前記綴じ処理で綴じることができる上限枚数及び前記綴じ処理による綴じの強度のうちの少なくとも一つが前記指定手段で指定されているシートに対してより大きいまたは等しいシートをユーザに通知する通知手段を有することを特徴とする印刷制御装置。
【請求項１６】
シートに画像を印刷して複数のシートを綴じる画像処理装置に、印刷データを送信する情報処理装置であって、
シートに画像を印刷して、画像が印刷された複数のシートを綴じる綴じ処理を実行するための印刷データを前記画像処理装置に送信する送信手段と、
印刷に使用するシートを指定する指定手段と、
前記綴じ処理で綴じることができる上限枚数及び前記綴じ処理による綴じの強度のうちの少なくとも一つが前記指定手段で指定されているシートに対してより大きいまたは等しいシートをユーザに通知する通知手段を有することを特徴とする情報処理装置。
【請求項１７】
シートに画像を印刷する印刷部と複数のシートを綴じる綴じ部とを制御する制御方法であって、
シートに画像を印刷するよう前記印刷部を制御する印刷ステップと、
前記印刷部によって画像が印刷された複数のシートを綴じる綴じ処理を実行するよう前記綴じ部を制御する綴じステップと、
印刷に使用するシートを指定する指定ステップと、
前記綴じ処理で綴じることができる上限枚数及び前記綴じ処理による綴じの強度のうちの少なくとも一つが指定されているシートに対してより大きいまたは等しいシートをユーザに通知する通知ステップを有することを特徴とする制御方法。
【請求項１８】
シートに画像を印刷する印刷部と複数のシートを綴じる綴じ部とを制御するコンピュータにより読み取り可能なプログラムであって、
シートに画像を印刷するよう前記印刷部を制御する印刷ステップと、
前記印刷部によって画像が印刷された複数のシートを綴じる綴じ処理を実行するよう前記綴じ部を制御する綴じステップと、
印刷に使用するシートを指定する指定ステップと、
前記綴じ処理で綴じることができる上限枚数及び前記綴じ処理による綴じの強度のうちの少なくとも一つが指定されているシートに対してより大きいまたは等しいシートをユーザに通知する通知ステップとを前記コンピュータに実行させることを特徴とするプログラム。
【請求項１９】
シートに画像を印刷して複数のシートを綴じる画像処理装置に、印刷データを送信するコンピュータにより読み取り可能なプログラムであって、
シートに画像を印刷して、画像が印刷された複数のシートを綴じる綴じ処理を実行するための印刷データを前記画像処理装置に送信する送信ステップと、
印刷に使用するシートを指定する指定ステップと、
前記綴じ処理で綴じることができる上限枚数及び前記綴じ処理による綴じの強度のうちの少なくとも一つが指定されているシートに対してより大きいまたは等しいシートをユーザに通知する通知ステップとを前記コンピュータに実行させることを特徴とするプログラム。
【発明の詳細な説明】
【技術分野】
【０００１】
本発明は、シートに画像を印刷して複数のシートを綴じる画像処理装置に関するものである。また、シートに画像を印刷する印刷部と複数のシートを綴じる綴じ部とを制御する印刷制御装に関するものである。また、前記画像処理装置に印刷データを送信する情報処理装置に関するものである。
【背景技術】
【０００２】
シートに画像を印刷して、印刷された複数のシートをシート処理装置に綴じさせる画像処理装置が存在する。代表的な綴じ処理としてステイプル綴じ処理がある。ステイプル綴じ処理では、金属の針を使って複数のシートを綴じる。
【０００３】
針を使わないで複数のシートを綴じる方法としては、複数のシートをまとめてくりぬくように切り取り、その切り先を織り込む方法がある（特許文献１）。その他にも、糊で複数のシートを貼りつける方法や、特殊な刃を複数のシートに押しつけて複数のシートをかしめとる方法がある。
【先行技術文献】
【特許文献】
【０００４】
【特許文献１】特開平０８−３００８４７号公報
【発明の概要】
【発明が解決しようとする課題】
【０００５】
針を使わずに複数のシートを綴じる綴じ処理は、針を使って複数のシートを綴じる綴じ処理に比べて綴じる力が弱く、綴じることができるシートの上限枚数が少ない。さらに、シートの種類（例えば紙種）やシートの重さ（例えば坪量）などによって、綴じることができるシートの上限枚数（以下、綴じの上限枚数）やシートを綴じている強度（以下、綴じの強度）が異なる。一方、針を使わずに綴じる綴じ処理は、針を使わないので省資源である、針を取らずに印刷物を破棄できる、というメリットを有する。ユーザは、針を使ってシートを綴じる綴じ処理と針を使わずにシートを綴じる綴じ処理を用途に応じて使い分ける。
【０００６】
しかしながら、ユーザは、シートの種類やシートの重さなどによって、綴じの上限枚数や綴じの強度が変わることを知らずに、印刷に使用するシートを選んでしまうことがある。
【０００７】
例えば、針を使わずに普通紙を綴じることができる上限枚数が１１枚で、針を使わずに厚紙を綴じることができる上限枚数が７枚であり、普通紙と厚紙が画像処理装置にセットされていると仮定する。厚紙がデフォルトで指定されている場合や厚紙がユーザによって指定されている場合、綴じることができる上限枚数がより大きい普通紙が画像処理装置にセットされていても、ユーザはそのことを知らずに、印刷に厚紙を使用してしまうことがある。
【０００８】
そこで、本発明では、ユーザが、綴じの上限枚数または綴じの強度がより大きいまたは等しい他のシートがあることを確認できるようにする。
【課題を解決するための手段】
【０００９】
本発明に係る画像処理装置は、シートに画像を印刷し、複数のシートを綴じるよう綴じ部を制御する画像処理装置であって、シートに画像を印刷する印刷手段と、前記印刷手段によって画像が印刷された複数のシートを綴じる綴じ処理を実行するよう前記綴じ部を制御する制御手段と、印刷に使用するシートを指定する指定手段と、前記綴じ処理で綴じることができる上限枚数が前記指定手段で指定されているシートに対してより大きいまたは等しいシートをユーザに通知する通知手段を有することを特徴とする。
【００１０】
本発明に係る画像処理装置は、シートに画像を印刷し、複数のシートを綴じるよう綴じ部を制御する画像処理装置であって、シートに画像を印刷する印刷手段と、前記印刷手段によって画像が印刷された複数のシートを綴じる綴じ処理を実行するよう前記綴じ部を制御する制御手段と、印刷に使用するシートを指定する指定手段と、前記綴じ処理による綴じの強度が前記指定手段で指定されているシートに対してより大きいまたは等しいシートをユーザに通知する通知手段を有することを特徴とする。
【００１１】
本発明に係る印刷制御装置は、シートに画像を印刷する印刷部と複数のシートを綴じる綴じ部とを制御する印刷制御装置であって、シートに画像を印刷するよう前記印刷部を制御し、前記印刷部によって画像が印刷された複数のシートを綴じる綴じ処理を実行するよう前記綴じ部を制御する制御手段と、印刷に使用するシートを指定する指定手段と、前記綴じ処理で綴じることができる上限枚数及び前記綴じ処理による綴じの強度のうちの少なくとも一つが前記指定手段で指定されているシートに対してより大きいまたは等しいシートをユーザに通知する通知手段を有することを特徴とする。
【００１２】
本発明に係る印刷制御装置は、シートに画像を印刷して複数のシートを綴じる画像処理装置に、印刷データを送信する情報処理装置であって、シートに画像を印刷して、画像が印刷された複数のシートを綴じる綴じ処理を実行するための印刷データを前記画像処理装置に送信する送信手段と、印刷に使用するシートを指定する指定手段と、前記綴じ処理で綴じることができる上限枚数及び前記綴じ処理による綴じの強度のうちの少なくとも一つが前記指定手段で指定されているシートに対してより大きいまたは等しいシートをユーザに通知する通知手段を有することを特徴とする。
【発明の効果】
【００１３】
本発明によれば、ユーザが、綴じの上限枚数または綴じの強度がより大きいまたは等しい他のシートがあることを確認できるようになる。
【図面の簡単な説明】
【００１４】
【図１】画像処理装置の構成を示すブロック図である。
【図２】画像処理装置の断面図である。
【図３】第２の綴じ部で行われる第２の綴じ処理を説明する図である。
【図４】綴じられた複数のシートの断面を示す図である。
【図５】綴じられた複数のシートを上から見た図である。
【図６】操作部１０５に表示されるユーザインターフェース画面の一例を示す図である。
【図７】操作部１０５に表示されるユーザインターフェース画面の一例を示す図である。
【図８】コピーの実行を制御する制御方法を示すフローチャートである。
【図９】コピーの実行を制御する制御方法を示すフローチャートである。
【図１０】コピーの実行を制御する制御方法を示すフローチャートである。
【図１１】操作部１０５に表示されるユーザインターフェース画面の一例を示す図である。
【図１２】操作部１０５に表示されるユーザインターフェース画面の一例を示す図である。
【図１３】操作部１０５に表示されるユーザインターフェース画面の一例を示す図である。
【図１４】操作部１０５に表示されるユーザインターフェース画面の一例を示す図である。
【図１５】操作部１０５に表示されるユーザインターフェース画面の一例を示す図である。
【図１６】給紙部の検索方法を示すフローチャートである。
【図１７】給紙部の検索方法で使用される二つのテーブルを示す図である。
【図１８】本発明に係る情報処理装置の構成を示すブロック図である。
【図１９】印刷データを画像処理装置に送信する制御方法を示すフローチャートである。
【図２０】ディスプレイ１８０６に表示されるユーザインターフェース画面の一例を示す図である。
【図２１】ディスプレイ１８０６に表示されるユーザインターフェース画面の一例を示す図である。
【図２２】ディスプレイ１８０６に表示されるユーザインターフェース画面の一例を示す図である。
【発明を実施するための形態】
【００１５】
以下、図面を用いて実施形態を説明する。
【００１６】
＜第１の実施形態＞
図１は、本実施形態に係る画像処理装置の構成を示すブロック図である。画像処理装置は、シート上の画像を読み取る読取機能、シートに画像を印刷する印刷機能を有する。シート処理装置は画像処理装置に接続し、複数のシートを綴じたり、シートを折ったりする後処理機能を有する。図１では、画像処理装置がシート処理装置をシート処理部として有する例を示す。ただし、シート処理装置は画像処理装置と着脱可能であってもよい。シートには、普通紙や厚紙などの用紙、ＯＨＰシートなどが含まれる。
【００１７】
ＣＰＵ１０１は画像処理装置の制御部である。ＣＰＵ１０１はプログラムを実行して画像処理装置全体を制御する。ＲＯＭ１０２は、ＣＰＵ１０１で実行可能な制御プログラムを格納する。ＳＲＡＭ１０３は、ユーザが登録した設定値や画像処理装置の管理データを格納したり、ＣＰＵ１０１のワーク用バッファとして機能したりする。ＳＲＡＭ１０３は電池で駆動可能であり、不揮発性のメモリである。画像処理装置の電源が切れても、ＳＲＡＭ１０３に記憶されている情報は消えない。ＤＲＡＭ１０４は、ＣＰＵ１０１によって実行されるプログラムの制御変数を格納する。画像処理装置の種類によってはＳＲＡＭ１０３の代わりにハードディスクドライブ（ＨＤＤ）が用いられることもある。また、ＳＲＡＭ１０３とともにハードディスクドライブが画像処理装置に設けられていてもよい。
【００１８】
操作部１０５は、ユーザに対して情報を表示したり、ユーザからの指示を入力したりする。そのため、操作部１０５は、後述するユーザインターフェース画面を表示するタッチパネルディスプレイとスタートボタンを有する。ユーザはタッチパネルを使ってタッチパネルディスプレイに表示されているキーを押下する。操作部１０５は、タッチパネルディスプレイの代わりに、表示ディスプレイと各種のハードキーを有していてもよい。その場合、ユーザはハードキーを使って表示ディスプレイに表示されているキーを押下する。
【００１９】
操作部１０５は、様々な情報をユーザに通知するために、それらの情報を表示する。また、操作部１０５がスピーカを有している場合、操作部１０５はそれらの情報を音声でユーザに通知してもよい。
【００２０】
読取部１０６は、シート上の画像を読み取って、その画像をバイナリーデータなどの画像データに変換する。読取部１０６によって生成された画像データはＳＲＡＭ１０３に格納される。その後、画像データは通信部１０８によって外部装置に送信されたり、用紙に印刷されたりする。印刷部１０７は、画像データに基づく画像をシートに印刷する。コピーの場合には、読取部１０６がシート上の画像を読み取って画像データを生成し、印刷部１０７が画像データに基づく画像を別のシートに印刷する。
【００２１】
通信部１０８は、画像データを外部装置に送信したり、画像データを外部装置から受信したりする。通信部１０８は、有線ＬＡＮや無線ＬＡＮなどのネットワークを介して外部装置と通信したり、ＵＳＢなどのローカルインタフェースを介して外部装置と通信したり、電話回線を介して外部のファクシミリ装置と通信したりする。通信部１０８によって受信された画像データはＳＲＡＭ１０３に格納される。
【００２２】
データバス１１０は上述したデバイス間で画像データや制御信号を転送する。
【００２３】
印刷部１０７はシート処理部１０９と接続していて、印刷されたシートをシート処理部１０９に搬送する。シート処理部１０９は印刷部１０７を介してＣＰＵ１０１からの制御コマンドを受信し、その制御コマンドに従ってシートに後処理を施す。例えば、複数のシートを揃えたり、複数のシートを複数のトレイに分けたり、複数のシートを綴じたりする。本実施形態では、シート処理部１０９は、複数のシートを針で綴じる第１の綴じ処理と針を使わずに複数のシートを綴じる第２の綴じ処理とのうちの少なくとも１つを実行可能である。
【００２４】
図２は画像処理装置の断面図である。図２では、ＣＰＵ１０１、ＲＯＭ１０２、ＳＲＡＭ１０３、ＤＲＡＭ１０４、操作部１０５、読取部１０６、通信部１０８の説明は省略する。
【００２５】
図２では、シート処理部１０９は画像処理装置の筺体内部に配置されている。ただし、シート処理部１０９の配置は図２の例に限らない。シート処理部１０９が画像処理装置に隣接するように接続されていてもよい。
【００２６】
給紙部２０１及び給紙部２０２はそれぞれ、シートを格納する。図２では、画像処理装置は２つの給紙部を有しているが、給紙部の数は２つに限らない。搬送ローラ２０３は給紙部２０１に格納されているシートを印刷部１０７に搬送する。また、搬送ローラ２０４は給紙部２０２に格納されているシートを印刷部１０７に搬送する。印刷部１０７は、搬送されてきたシートの第１面に画像を印刷する。印刷部１０７は、インクをシートに吹き付けて画像を印刷するインクジェット方式を採用していても、トナーをシートに定着させて画像を印刷する電子写真方式を採用していてもよい。
【００２７】
片面印刷の場合には、印刷されたシートは搬送ローラ２０５に導かれ、搬送ローラ２０５はシートをシート処理部１０９に搬送する。搬送ローラ２０６はシートを第１の綴じ部または第２の綴じ部に搬送する。
【００２８】
図２では、シート処理部１０９には２つの綴じ部が併設されている。第１の綴じ部はステイプラと呼ばれ、金属針を使って複数のシートを綴じる。第２の綴じ部は、針を使わずに複数のシートを綴じる。第２の綴じ部の詳細は後述する。複数のシートのそれぞれがシート処理部１０９に搬送され、シート処理部１０９はその複数のシートを保持し、第１の綴じ部または第２の綴じ部が、保持された複数のシートを綴じる。図２では、シート処理部１０９は第１の綴じ部と第２の綴じ部とを備えるが、第２の綴じ部だけを備えていてもよい。
【００２９】
シートはシート処理部１０９を通過した後、排紙部２０７に排出される。
【００３０】
両面印刷の場合には、印刷されたシートは搬送ローラ２０８に導かれ、搬送ローラ２０８はシートを搬送ローラ２０９に搬送する。搬送ローラ２０９はシートを反転パス２１０に搬送する。シートの後端が搬送ローラ２０９に到達すると、搬送ローラ２０９は逆回転し始め、シートを搬送ローラ２１１に搬送する。搬送ローラ２１１は両面印刷用搬送パス２１２を介してシートを搬送ローラ２１３に搬送する。搬送ローラ２１３はシートを印刷部１０７に搬送する。印刷部１０７はシートの第２面に画像を印刷する。両面印刷されたシートは搬送ローラ２０５に導かれ、搬送ローラ２０５はシートをシート処理部１０９に搬送する。
【００３１】
図３は、第２の綴じ部で行われる第２の綴じ処理を説明する図である。第２の綴じ処理では、複数のシートの上下から圧力をかけて、複数のシートを密着させて綴じる。図３（ａ）は、複数のシートが綴じ位置にセットされて第２の綴じ部が綴じ位置に移動した状態を示す。
【００３２】
３０３は複数のシートを示す。上金型３０１は複数のシートを上から押さえつける。上金型３０１には複数の凸形状の刃３０２が並んでいて、それぞれの刃３０２がシートに圧力をかける。下金型３０５は複数のシートを下から押さえつける。下金型３０５には、複数の刃３０２に対応した複数の凹部３０４が並んでいて、それぞれの凹部３０４が刃３０２を受け止める。
【００３３】
図３（ｂ）は、上金型３０１と下金型３０５が複数のシートを上下方向から加圧した状態を示す。上金型３０１と下金型３０５が複数のシートに加圧することで、複数のシートを綴じることが可能になっている。複数の刃３０２と複数の凹部３０４がシートの複数箇所を加圧することで、シートがはがれにくくなっている。
【００３４】
図４は、綴じ位置の断面を示す図である。図５は、綴じられた複数のシートを上から見た図である。５０１は綴じ位置を示す。綴じ位置５０１では、複数のシートが刃３０２と凹部３０４によって加圧されて潰されることで綴じられている。第２の綴じ処理では複数のシートに加圧して綴じるため、第２の綴じ処理で綴じることができるシートの枚数は第１の綴じ処理で綴じることができるシートの枚数よりも少ない。
【００３５】
画像処理装置が第１の綴じ処理と第２の綴じ処理とをそれぞれ実行可能である場合、ユーザはどちらの綴じ処理を実行するかを選択することができる。
【００３６】
図６は、操作部１０５に表示されるユーザインターフェース画面の一例を示す図である。図６のユーザインターフェース画面で、ユーザはコピー時の仕上げを設定する。画像処理装置が第１の綴じ処理と第２の綴じ処理とをそれぞれ実行可能である場合、ユーザがキー６０１を押下すると、綴じ処理の種類を選択するためのユーザインターフェース画面が操作部１０５に表示される。
【００３７】
図７は、綴じ処理の種類を選択するためのユーザインターフェース画面の一例を示す図である。キー７０１が第１の綴じ処理を選択するためのキーであり、キー７０２が第２の綴じ処理を選択するためのキーである。
【００３８】
図８、図９、図１０及び図１６はコピーの実行を制御する制御方法を示すフローチャートである。ＣＰＵ１０１がフローチャートに基づく制御プログラムを実行することにより、この制御方法が実現される。
【００３９】
ユーザが操作部１０５に表示されるメイン画面でコピーを選択すると、ＣＰＵ１０１がこの制御プログラムを実行する。まず、ＣＰＵ１０１は、コピーの設定をするためのユーザインターフェース画面を表示するよう操作部１０５を制御する（Ｓ８０１）。
【００４０】
図１１は、Ｓ８０１で表示されるユーザインターフェース画面の一例を示す図である。図１１の画面で、ユーザは、カラーコピーまたはモノクロコピーの選択、コピーの倍率の設定、両面コピーの種類の選択などをすることができる。ユーザが仕上げを設定したい場合には、キー１１０１を押下する。ユーザが印刷に用いるシートを選択したい場合には、キー１１０２を押下する。
【００４１】
ＣＰＵ１０１は、図１１の画面でキー１１０１が押下されたかどうかを判断する（Ｓ８０２）。キー１１０１が押下されていない場合は、ＣＰＵ１０１は図９のフローチャートに進む。
【００４２】
キー１１０１が押下された場合、ＣＰＵ１０１は、図６に示すユーザインターフェース画面を表示するよう操作部１０５を制御する（Ｓ８０３）。ＣＰＵ１０１は、図６の画面でキー６０１〜６０３のいずれが押下されたかを判断する（Ｓ８０４）。キー６０４は綴じ位置を設定するためのキーである。また、キー６０５及び６０６は綴じ処理以外の仕上げ処理を選択するためのキーである。図８では、キー６０４〜６０６が押下された場合の制御については説明を省略する。
【００４３】
キー６０３が押下された場合は、ＣＰＵ１０１はＳ８０１に戻る。キー６０２が押下された場合は、ＣＰＵ１０１は、綴じ処理に関する設定値をクリアして（Ｓ８１６）、Ｓ８０１に戻る。
【００４４】
キー６０１が押下された場合は、ＣＰＵ１０１は、図７のユーザインターフェース画面を表示するよう操作部１０５を制御する（Ｓ８０５）。ＣＰＵ１０１は、図７の画面でキー７０１が押下されたか、キー７０２が押下されたかを判断する（Ｓ８０６）。
【００４５】
図７の画面でキー７０１が押下され、針を使う第１の綴じ部が選択された場合は、ＣＰＵ１０１は、第１の綴じ処理を使用することを設定する（Ｓ８１５）。第１の綴じ処理が選択された場合には、後述するメッセージを特に表示しない。
【００４６】
図７の画面でキー７０２が押下され、針を使わない第２の綴じ部が選択された場合は、ＣＰＵ１０１は、第２の綴じ処理を使用することを設定する（Ｓ８０７）。さらに、ＣＰＵ１０１は、給紙部が指定されているかどうかを判断する（Ｓ８０８）。
【００４７】
ＣＰＵ１０１は、給紙部が指定されているとＳ８０８で判断した場合は、指定されている給紙部に格納されているシートに対して綴じの上限枚数及び綴じの強度がより大きいまたは等しいシートを格納している給紙部を検索する（Ｓ８０９）。Ｓ８０９の給紙部の検索方法に関しては後述する。
【００４８】
なお、綴じの上限枚数とは、綴じることができるシートの最大枚数を意味する。綴じの強度とは、複数のシートを綴じている強度、つまりは綴じられた複数のシートがどれくらい剥がれにくいかを意味する。
【００４９】
ＣＰＵ１０１は、Ｓ８０９の検索で給紙部が見つかったかどうかを判断する（Ｓ８１０）。給紙部が見つからなかった場合には、ＣＰＵ１０１はＳ８１２に進む。
【００５０】
給紙部が見つかった場合には、ＣＰＵ１０１は、指定されている給紙部とＳ８０９の検索で見つけた給紙部のそれぞれに対応する綴じの上限枚数及び綴じの強度に関するメッセージと用紙選択キーを表示するように操作部１０５を制御する（Ｓ８１１）。
【００５１】
図１２は、Ｓ８１１で表示されるユーザインターフェース画面の一例を示す図である。図１２の画面の下部には、現在指定されている給紙部とＳ８０９の検索で見つけた給紙部のそれぞれに格納されているシートを第２の綴じ処理で綴じる場合の綴じの上限枚数に関するメッセージ１２０１が表示されている。また、現在指定されている給紙部に格納されているシートの綴じの強度とＳ８０９の検索で見つけた給紙部に格納されているシートの綴じの強度に関するメッセージ１２０１が表示されている。
【００５２】
ユーザは、綴じの上限枚数と綴じの強度に関するメッセージを読んで、現在指定されている給紙部に格納されているシートを綴じるのに針なしの綴じ処理が十分であるかを判断することができる。また、ユーザが不十分と判断した場合には、用紙選択キー１２０２を押下して、シートの変更（給紙部の変更）をすることができる。
【００５３】
ＣＰＵ１０１は、用紙選択キー１２０２が押下されたかどうかを判断する（Ｓ８１２）。ＣＰＵ１０１は、用紙選択キー１２０２が押下されたと判断した場合、図１０のフローチャートに進む。ＣＰＵ１０１は、用紙選択キー１２０２が押下されていないと判断した場合、図１２の画面でキー７０１、７０３〜７０５のいずれが押下されたかどうかを判断する（Ｓ８１３）。
【００５４】
ＣＰＵ１０１が、「針有り」キー７０１が押下されたと判断した場合は、Ｓ８１５に進む。
【００５５】
ＣＰＵ１０１が、「戻る」キー７０４が押下されたと判断した場合は、Ｓ８０３に戻る。ＣＰＵ１０１が、「ＯＫ」キー７０５が押下されたと判断した場合は、ユーザにより設定または選択された内容を設定値としてＳＲＡＭ１０３に保持しつつ、Ｓ８０１に戻る。ＣＰＵ１０１が、「設定取消」キー７０３が押下されたと判断した場合は、綴じ処理に関する設定値をクリアして（Ｓ８１４）、Ｓ８０１に戻る。
【００５６】
図９のフローチャートについて説明する。
【００５７】
図１１の画面でキー１１０１が押下されていないと判断した場合、ＣＰＵ１０１は図９のフローチャートに基づく制御処理を実行する。ＣＰＵ１０１は、図１１の画面でキー１１０２が押下されたかどうかを判断する（Ｓ９０１）。キー１１０２が押下されたと判断した場合、ＣＰＵ１０１は、印刷に用いられるシートを選択するためのユーザインターフェース画面を表示するように操作部１０５を制御する（Ｓ９０２）。
【００５８】
図１３は、Ｓ９０２で表示されるユーザインターフェース画面の一例を示す図である。図１３の画面で、ユーザは複数の給紙部の内少なくとも一つを選択することで、印刷に用いるシートを選択する。ユーザが「自動」キー１３０１を押下すると、ＣＰＵ１０１は、印刷に用いるシートを原稿のサイズ等に基づいて自動的に選択する。ＣＰＵ１０１は、図１３の画面で用紙の選択が行われたか、またはＯＫキー１３０３が押下されたかを判断する（Ｓ９０３）。ユーザによって用紙の選択が行われた場合、ＣＰＵ１０１は、「自動」キー１３０１が押下されたか給紙部選択キー１３０２が押下されたかを判断する（Ｓ９０４）。
【００５９】
ユーザがＯＫキー１３０３を押下すると、ＣＰＵ１０１は、シートの選択に関してユーザによって設定されている内容を設定値としてＳＲＡＭ１０３に保持しつつ、Ｓ８０１に戻る。ユーザが「自動」キー１３０１を押下した場合、ＣＰＵ１０１はＳ９０９に進む。ユーザが給紙部選択キー１３０２を押下した場合は、ＣＰＵ１０１は、針を使わない第２の綴じ処理が設定されているかどうかを判断する（Ｓ９０５）。
【００６０】
ＣＰＵ１０１が、第２の綴じ処理が設定されていないとＳ９０５で判断した場合は、Ｓ９０９に進む。ＣＰＵ１０１が、第２の綴じ処理が設定されているとＳ９０５で判断した場合、指定されている給紙部に格納されているシートよりも綴じの上限枚数及び綴じの強度が大きいまたは等しいシートを格納している給紙部を検索する（Ｓ９０６）。Ｓ９０６の給紙部の検索方法に関しては後述する。
【００６１】
ＣＰＵ１０１は、Ｓ９０６の検索で給紙部が見つかったかどうかを判断する（Ｓ９０７）。給紙部が見つからなかった場合には、ＣＰＵ１０１はＳ９０９に進む。
【００６２】
給紙部が見つかった場合には、ＣＰＵ１０１は、指定されている給紙部とＳ９０６の検索で見つけた給紙部のそれぞれに対応する綴じの上限枚数及び綴じの強度に関するメッセージを表示するように操作部１０５を制御する（Ｓ９０８）。
【００６３】
図１４は、Ｓ９０８で表示されるユーザインターフェース画面の一例を示す図である。図１４の画面の下部には、ユーザがカセット１を選択した場合に、カセット１に格納されているシートに対応する綴じの上限枚数が表示される。さらに、綴じの上限枚数及び綴じの強度がより大きいシートを格納しているカセット６に関するメッセージが表示される。
【００６４】
ユーザは、図１４のメッセージを見て、現在指定されている給紙部に格納されている用紙を針を使わないで綴じる場合の綴じの上限枚数を確認することができる。さらに、同じサイズの用紙で綴じの上限枚数と綴じの強度がより大きいまたは等しいほかの用紙がどれであるかを確認することもできる。ユーザが指定されている給紙部に格納されている用紙では不十分と判断した場合は、用紙の変更が可能である。ユーザは用紙を変更する場合、「自動」キー１３０１または給紙部選択キー１３０２を押下する。
【００６５】
ＣＰＵ１０１は、図１３または図１４の画面で用紙の変更が行われたか、またはＯＫキー１３０３が押下されたかを判断する（Ｓ９０９）。ＣＰＵ１０１は、用紙の変更がされていると判断した場合は、Ｓ９０４に戻る。ＣＰＵ１０１は、ユーザがＯＫキー１３０３を押下していると判断した場合は、シートの選択に関してユーザによって設定されている内容を設定値としてＳＲＡＭ１０３に保持しつつ、Ｓ８０１に戻る。
【００６６】
図１１の画面で、キー１１０２が押下されていない場合、ＣＰＵ１０１は、スタートボタン（不図示）が押下されたかどうかを判断する（Ｓ９１０）。スタートボタンは操作部１０５に設けられている。スタートボタンが押下された場合には、ＣＰＵ１０１は、ＳＲＡＭ１０３に保持されている設定値に従って読取部１０６及び／または印刷部１０７を制御し、コピーを実行する（Ｓ９１１）。スタートボタンが押下されていない場合、ＣＰＵ１０１は、Ｓ８０１に戻る。
【００６７】
図１１では、その他の設定もすることが可能であるが、その他の設定については説明を省略する。
【００６８】
図１０のフローチャートについて説明する。
【００６９】
ＣＰＵ１０１は、用紙選択キー１２０２が押下されたとＳ８１２で判断した場合、図１０のフローチャートに基づく制御処理を実行する。ＣＰＵ１０１はまず、現在指定されている給紙部に格納されているシートに対して綴じの上限枚数及び綴じの強度がより大きいまたは等しいシートを格納している給紙部を検索する（Ｓ１００１）。
【００７０】
ＣＰＵ１０１は、印刷に用いられるシートを選択するためのユーザインターフェース画面を表示するように操作部１０５を制御する（Ｓ１００２）。さらに、ＣＰＵ１０１は、現在指定されている給紙部を選択している状態から、Ｓ１００１の検索で見つけた給紙部を選択している状態に変更する。そのうえで、変更前の給紙部と変更後の給紙部のそれぞれに対応する綴じの上限枚数及び綴じの強度に関するメッセージを表示するよう操作部１０５を制御する（Ｓ１００３）。
【００７１】
図１５は、Ｓ１００２及びＳ１００３によって表示されるユーザインターフェース画面の一例を示す図である。図１５の画面の下部には、変更前の給紙部（カセット１）と変更後の給紙部（カセット６）に関するメッセージ１５０１が表示されている。
【００７２】
ユーザは、図１２の画面を見て現在指定されているシートでは不十分と判断した場合、用紙選択キー１２０２を押下する。図１５の画面では、綴じの上限枚数及び綴じの強度がより大きいシートを格納している給紙部が自動で選択されるため、ユーザは、ＯＫキーを押下するだけで設定を完了させることができる。また、ユーザは、図１５の画面で選択されている給紙部からさらに給紙部の変更が可能である。
【００７３】
ＣＰＵ１０１は、図１５の画面で用紙の変更が行われたか、またはＯＫキー１３０３が押下されたかを判断する（Ｓ１００４）。ＣＰＵ１０１は、ＯＫキーが押下されたとＳ１００４で判断した場合は、シートの選択に関してユーザによって設定されている内容を設定値としてＳＲＡＭ１０３に保持させて、Ｓ８０５に戻る。
【００７４】
ＣＰＵ１０１は、用紙の変更がされたとＳ１００４で判断した場合、「自動」キー１３０１が押下されたか給紙部選択キー１３０２が押下されたかを判断する（Ｓ１００５）。ＣＰＵ１０１は、「自動」キー１３０１が押下されたとＳ１００５で判断した場合はＳ１００４に進む。ＣＰＵ１０１は、給紙部選択キー１３０２が押下されたとＳ１００５で判断した場合は、第２の綴じ処理が設定されているかどうかを判断する（Ｓ１００６）。ＣＰＵ１０１は、第２の綴じ処理が設定されていないとＳ１００６で判断した場合は、Ｓ１００４に進む。
【００７５】
ＣＰＵ１０１は、第２の綴じ処理が設定されているとＳ１００６で判断した場合、指定されている給紙部に格納されているシートに対して綴じの上限枚数及び綴じの強度がより大きいまたは等しいシートを格納している給紙部を検索する（Ｓ１００７）。
【００７６】
ＣＰＵ１０１は、Ｓ１００７の検索で給紙部が見つかったかどうかを判断する（Ｓ１００８）。給紙部が見つからなかった場合には、ＣＰＵ１０１はＳ１００４に進む。
【００７７】
給紙部が見つかった場合には、ＣＰＵ１０１は、指定されている給紙部と検索で見つけた給紙部のそれぞれに格納されているシートに対応する綴じの上限枚数及び綴じの強度に関するメッセージを表示するように操作部１０５を制御する（Ｓ１００９）。
【００７８】
ユーザは、Ｓ１００９で表示されたメッセージを確認し、指定されている給紙部で綴じ処理の実行が可能かを判断し、不可能であると判断した場合は、綴じの上限枚数及び綴じの強度がより大きいシートを格納している給紙部を改めて指定することが可能である。
【００７９】
Ｓ８０９、Ｓ９０６、Ｓ１００１及びＳ１００７で実行される給紙部の検索方法を説明する。本実施形態では、指定されている給紙部に格納されているシートに対して綴じの上限枚数及び綴じの強度がより大きいまたは等しいシートを格納している給紙部を検索する。しかし、指定されている給紙部に格納されているシートよりも綴じの上限枚数及び綴じの強度がより大きいシートを格納している給紙部を検索するようにしてもよい。
【００８０】
図１６は、給紙部を検索する検索方法のフローチャートを示す図である。
【００８１】
ＣＰＵ１０１は、指定されている給紙部に格納されているシートのサイズ及びタイプを取得する（Ｓ１６０１）。各給紙部に格納されているシートのサイズ及びタイプに関する情報はＳＲＡＭ１０３に格納されている。
【００８２】
ＣＰＵ１０１は、Ｓ１６０１で取得したサイズとタイプを基に給紙部を選択する。より具体的には、ＣＰＵ１０１は、取得したサイズと同じサイズのシートが格納されている給紙部の内、取得したタイプのシートに対して綴じの上限枚数がより大きいまたは等しいシートを格納している給紙部を選択する（Ｓ１６０２）。
【００８３】
さらに、ＣＰＵ１０１は、Ｓ１６０２で選択した１または複数の給紙部の内、Ｓ１６０１で取得したタイプのシートに対して綴じの強度がより大きいまたは等しいシートを格納している１または複数の給紙部を選択する。さらに、ＣＰＵ１０１は、その中で綴じの強度が最も大きいシートを格納している給紙部を選択する（Ｓ１６０３）。
【００８４】
複数の給紙部が該当する場合は、いずれか一つが選択される。ＣＰＵ１０１は、Ｓ１６０３で選択した給紙部を、指定されている給紙部に格納されているシートに対して綴じの上限枚数及び綴じの強度がより大きいまたは等しいシートを格納している給紙部として決定する（Ｓ１６０４）。
【００８５】
図１７は、給紙部の検索方法で使用される二つのテーブルを示す図である。
【００８６】
テーブル１７０１は、第２の綴じ処理で綴じることのできるシートの上限枚数及び第２の綴じ処理で綴じた場合の強度をシートのタイプごとに示したテーブルである。テーブル１７０１はＳＲＡＭ１０３に記憶されている。テーブル１７０１に記載されている上限枚数は固定であっても、ユーザによって変更可能であってもよい。
【００８７】
第２の綴じ処理の場合、例えば、厚紙は普通紙に比べて厚いため、綴じられた厚紙は綴じられた普通紙よりも剥がれやすい。各タイプの綴じの強度は、シートの坪量、表面性などから決定されるものである。テーブル１７０１に記載されている綴じの強度は固定であっても、ユーザによって変更可能であってもよい。綴じの強度は、数字が大きいほど、剥がれにくいことを示す。
【００８８】
テーブル１７０２は、給紙部に格納されているシートのサイズ及びタイプを給紙部ごとに示したテーブルである。テーブル１７０２もまたＳＲＡＭ１０３に記憶されている。ユーザが、ある給紙部にシートを入れた場合、給紙部と、シートのサイズと、シートのタイプとを操作部１０５を介して入力する。操作部１０５を介して入力されたサイズとタイプはテーブル１７０２に登録される。各給紙部が、シートのサイズとシートのタイプを検知するシート検知手段を有している場合には、シート検知手段で検知したサイズとタイプがテーブル１７０２に登録される。
【００８９】
ＣＰＵ１０１は、テーブル１７０１及び１７０２をＳＲＡＭ１０３から読み出して参照することによって、各給紙部に格納されているシートの綴じの上限枚数及び綴じの強度を判断する。
【００９０】
例えば、指定されている給紙部がカセット１だとする。ＣＰＵ１０１はまず、テーブル１７０１及び１７０２を参照して、カセット１のシートのサイズ、綴じの上限枚数、綴じの強度を取得する。つぎに、ＣＰＵ１０１は、テーブル１７０２を参照して、カセット１のシートのサイズ「Ａ４」と同じサイズのシートを格納している給紙部としてカセット２、カセット５、カセット６を選択する。さらに、ＣＰＵ１０１は、テーブル１７０１を参照して、カセット２、カセット５、カセット６に格納されているシートに対応する綴じの上限枚数を取得する。そして、ＣＰＵ１０１は、カセット１、カセット２、カセット５、カセット６のそれぞれに格納されているシートに対応する綴じの上限枚数を比較する。カセット２、カセット５、カセット６のそれぞれに格納されているシートの綴じの上限枚数は、いずれもカセット１に格納されているシートの綴じの上限枚数以上である。そのため、ＣＰＵ１０１は、テーブル１７０１を参照して、カセット２、カセット５、カセット６のそれぞれに格納されているシートのタイプに対応する綴じの強度を取得する。再生紙、薄紙及び普通紙のそれぞれに対応する綴じの強度はいずれも、厚紙２の綴じの強度以上であるため、再生紙、薄紙及び普通紙のうち、綴じの強度が最も大きい普通紙を選択する。この例では、カセット１に格納されているシートに対して綴じの上限枚数及び綴じの強度がより大きいまたは等しいシートを格納している給紙部としてカセット６を選択する。また、シートのサイズ、シートのタイプが同一の給紙部が複数存在する場合は、その中のいずれか一つが選択される。
【００９１】
第１の実施形態によって、ユーザは、現在指定されているシートを針を使わないで綴じる場合に綴じの上限枚数が十分であるかを確認することができる。さらに、綴じの上限枚数と綴じの強度がより大きい他のシートがあることを確認することもできる。
【００９２】
上記で説明した第１の実施形態では、画像処理装置は、綴じの上限枚数と綴じの強度の２つの属性に基づいて給紙部を検索し、綴じの上限枚数と綴じの強度についてメッセージを表示する。しかしながら、どちらか一方の属性に基づいて給紙部を検索し、綴じの上限枚数と綴じの強度のどちらか一方についてのみメッセージを表示してもよい。
【００９３】
上記で説明した第１の実施形態では、図９のＳ９１１でコピーが実行される。しかしながら、画像処理装置がハードディスクを有し、ハードディスクに記憶されている印刷データに基づく印刷がＳ９１１で実行されてもよい。その場合、通信部１０８が外部機器から印刷データを受信し、ＣＰＵ１０１はその印刷データをハードディスクに記憶させる。Ｓ９１１では、ＣＰＵ１０１はＳＲＡＭ１０３に保持されている設定値に従って印刷部１０７を制御し、ＨＤＤに記憶されている印刷データを印刷するよう印刷部１０７を制御する。
【００９４】
上記で説明した第１の実施形態では、画像処理装置がＣＰＵ１０１、読取部１０６、印刷部１０７、シート処理部１０９などを有している。しかしながら、本発明に係る実施形態は、印刷部１０７とシート処理部１０９を制御する印刷制御装置がＣＰＵ１０１、ＲＯＭ１０２、ＳＲＡＭ１０３、ＤＲＡＭ１０４、操作部１０５、通信部１０８を有するような実施形態であってもよい。
【００９５】
＜第２の実施形態＞
第１の実施形態では、画像処理装置または印刷制御装置に基づく実施形態を説明した。しかしながら、本発明は、画像処理装置に印刷データを送信する情報処理装置にも適用可能である。
【００９６】
図１８は、第２の実施形態に係る情報処理装置の構成を示すブロック図である。情報処理装置は印刷データを画像処理装置に送信して、印刷データに基づく印刷を画像処理装置に実行させる機能を有する。
【００９７】
ＣＰＵ１８０１は情報処理装置の制御部である。ＣＰＵ１８０１はプログラムを実行して情報処理装置全体を制御する。ＲＯＭ１８０２は、ＣＰＵ１８０１で実行可能な制御プログラムを格納する。ＨＤＤ１８０３は、ユーザが登録した設定値、情報処理装置の管理データ、文書アプリケーションや計算アプリケーションなどのアプリケーションプログラム、画像処理装置に印刷データを送信するためのドライバプログラムなどを格納する。ＲＡＭ１８０４は、ＣＰＵ１８０１によって実行されるプログラムの制御変数を格納する。また、ＲＡＭ１８０４はＣＰＵ１８０１のワーク用バッファとしても機能する。
【００９８】
キーボード１８０５は、ユーザからの指示を入力したり、文字や数字などを入力したりするのに使われる。キーボード１８０５のほかにマウスが用意されていてもよい。ディスプレイ１８０６は、ユーザに対して情報を表示する。ユーザはキーボード１８０５やマウスを使って、ディスプレイ１８０６に表示されているキーを押下する。ディスプレイ１８０６は、様々な情報をユーザに通知するために、それらの情報を表示する。情報処理装置がスピーカを有している場合、スピーカがそれらの情報を音声でユーザに通知してもよい。
【００９９】
通信部１８０７は、外部装置と通信する。通信部１８０７は印刷データを画像処理装置に送信したり、画像データを画像処理装置から受信したりする。通信部１８０７は、有線ＬＡＮや無線ＬＡＮなどのネットワークを介して外部装置と通信したり、ＵＳＢなどのローカルインタフェースを介して外部装置と通信したりする。データバス１８０８は各種デバイス間でデータや制御信号を転送する。
【０１００】
図１９は、印刷データを画像処理装置に送信する制御方法を示すフローチャートである。ＣＰＵ１８０１が、このフローチャートに基づくドライバプログラムを実行することにより、この制御方法が実現される。
【０１０１】
ユーザがデータの印刷を指示すると、ＣＰＵ１８０１はドライバプログラムを実行する。ＣＰＵ１８０１は、印刷の設定をするためのユーザインターフェース画面を表示するようディスプレイ１８０６を制御する（Ｓ１９０１）。
【０１０２】
図２０は、Ｓ１９０１で表示されるユーザインターフェース画面の一例を示す図である。図２０の画面で、ユーザは、原稿サイズの設定、印刷される用紙サイズの設定、部数の設定、印刷の向きの設定、ページレイアウト（ページ集約）の設定などをすることができる。ユーザが仕上げを設定したい場合には、タブキー２００１を押下する。ユーザが給紙部を指定したい場合には、タブキー２００２を押下する。ユーザが印刷データを画像処理装置に送信したい場合には、ＯＫキー２００３を押下する。
【０１０３】
ＣＰＵ１８０１は、図２０の画面でタブキー２００１が押下されたかどうかを判断する（Ｓ１９０２）。タブキー２００１が押下された場合、ＣＰＵ１８０１は、仕上げを設定するためのユーザインターフェース画面を表示するようディスプレイ１８０６を制御する（Ｓ１９０３）。
【０１０４】
図２１は、Ｓ１９０３で表示されるユーザインターフェース画面の一例を示す図である。Ｓ１９０３では、メッセージ２１０３は表示されていない。図２１の画面では、ユーザは片面印刷または両面印刷の選択や綴じ処理の種類の選択を行うことができる。ユーザは図２０の画面に戻りたい場合には、タブキー２１０１を押下する。ユーザが綴じ処理の種類を選択したい場合には、選択キー２１０２を押下する。
【０１０５】
ＣＰＵ１８０１は、図２１の画面でキー２００２、２１０１及び２１０２のいずれが押下されたかを判断する（Ｓ１９０４）。
【０１０６】
図２１の画面でキー２００２が押下された場合は、ＣＰＵ１８０１はＳ１９１１に進む。図２１の画面でキー２１０１が押下された場合は、ＣＰＵ１８０１はＳ１９０１に戻る。
【０１０７】
図２１の画面でキー２１０２が押下された場合は、ＣＰＵ１８０１は、ユーザにより選択された綴じ処理を示す設定値をＨＤＤ１８０３に保存する。さらに、ＣＰＵ１８０１は、第２の綴じ処理が選択されたかを判断する（Ｓ１９０５）。第２の綴じ処理が選択されていない場合には、ＣＰＵ１８０１はＳ１９０４に戻る。第２の綴じ処理が選択されている場合には、ＣＰＵ１８０１は、給紙部が指定されているかどうかを判断する（Ｓ１９０６）。
【０１０８】
ＣＰＵ１８０１は、給紙部が指定されているとＳ１９０６で判断した場合は、指定されている給紙部に格納されているシートに対して綴じの上限枚数及び綴じの強度がより大きいまたは等しいシートを格納している給紙部を検索する（Ｓ１９０７）。
【０１０９】
Ｓ１９０７の給紙部の検索方法は図１６で説明したとおりである。ＣＰＵ１８０１が図１６のフローチャートに基づく検索方法を実行する。ＣＰＵ１８０１は、通信部１８０７を介して、図１７のテーブル１７０１及び１７０２を画像処理装置から取得して、テーブル１７０１及び１７０２をＨＤＤ１８０３に格納して、図１６の検索方法を実行する。
【０１１０】
ＣＰＵ１８０１は、Ｓ１９０７の検索で給紙部が見つかったかどうかを判断する（Ｓ１９０８）。給紙部が見つからなかった場合には、ＣＰＵ１８０１はＳ１９０４に戻る。
【０１１１】
給紙部が見つかった場合には、ＣＰＵ１８０１は、指定されている給紙部とＳ１９０７の検索で見つけた給紙部のそれぞれに対応する綴じの上限枚数及び綴じの強度に関するメッセージを表示するように操作部１０５を制御する（Ｓ１９０９）。
【０１１２】
図２１のメッセージ２１０３は、Ｓ１９０９で表示されるメッセージの一例である。図２１の画面の下部には、現在指定されている給紙部とＳ１９０７の検索で見つけた給紙部とにそれぞれ格納されているシートを第２の綴じ処理で綴じる場合の綴じの上限枚数に関するメッセージ２１０３が表示されている。また、現在指定されている給紙部に格納されているシートの綴じの強度とＳ１９０７の検索で見つけた給紙部に格納されているシートの綴じの強度に関するメッセージ２１０３が表示されている。
【０１１３】
ユーザは、綴じの上限枚数と綴じの強度に関するメッセージを読んで、現在指定されている給紙部に格納されているシートを綴じるのに第２の綴じ処理が十分であるかを判断することができる。また、ユーザが不十分と判断した場合には、キー２００２を押下して、シートの変更（給紙部の変更）をすることができる。
【０１１４】
ＣＰＵ１８０１は、図２０の画面でタブキー２００１が押下されていないとＳ１９０２で判断した場合、図２０の画面でタブキー２００２が押下されたかどうかを判断する（Ｓ１９１０）。タブキー２００２が押下された場合、ＣＰＵ１８０１は、給紙部を選択するためのユーザインターフェース画面を表示するようディスプレイ１８０６を制御する（Ｓ１９１１）。
【０１１５】
図２２は、Ｓ１９１１で表示されるユーザインターフェース画面の一例を示す図である。Ｓ１９１１では、メッセージ２２０２は表示されていない。図２２の画面では、ユーザは給紙部の選択を行うことができる。ユーザは図２０の画面に戻りたい場合には、タブキー２１０１を押下する。ユーザは図２１の画面に戻りたい場合には、タブキー２００１を押下する。ユーザが給紙部を選択したい場合には、選択キー２２０１を押下する。
【０１１６】
ＣＰＵ１８０１は、図２２の画面でキー２００１、２１０１及び２２０１のいずれが押下されたかを判断する（Ｓ１９１２）。
【０１１７】
図２２の画面でキー２００１が押下された場合は、ＣＰＵ１８０１はＳ１９０３に進む。図２１の画面でキー２１０１が押下された場合は、ＣＰＵ１８０１はＳ１９０１に進む。
【０１１８】
図２２の画面でキー２２０１が押下された場合は、ＣＰＵ１８０１は、ユーザにより選択された給紙部を示す設定値をＨＤＤ１８０３に保存する。さらに、ＣＰＵ１８０１は、第２の綴じ処理が設定されているかどうかを判断する（Ｓ１９１３）。ＣＰＵ１８０１は、第２の綴じ処理が設定されているとＳ１９１３で判断した場合は、指定されている給紙部に格納されているシートに対して綴じの上限枚数及び綴じの強度がより大きいまたは等しいシートを格納している給紙部を検索する（Ｓ１９１４）。Ｓ１９１４はＳ１９０７と同様である。
【０１１９】
ＣＰＵ１８０１は、Ｓ１９１４の検索で給紙部が見つかったかどうかを判断する（Ｓ１９１５）。給紙部が見つからなかった場合には、ＣＰＵ１８０１はＳ１９１１に進む。
【０１２０】
給紙部が見つかった場合には、ＣＰＵ１８０１は、指定されている給紙部とＳ１９１４の検索で見つけた給紙部とのそれぞれに対応する綴じの上限枚数及び綴じの強度に関するメッセージを表示するように操作部１０５を制御する（Ｓ１９１６）。
【０１２１】
図２２のメッセージ２２０２は、Ｓ１９１６で表示されるメッセージの一例である。図２２の画面の下部には、現在指定されている給紙部とＳ１９１４の検索で見つけた給紙部とのそれぞれに格納されているシートを第２の綴じ処理で綴じる場合の綴じの上限枚数に関するメッセージ２２０２が表示されている。また、現在指定されている給紙部に格納されているシートの綴じの強度とＳ１９１４の検索で見つけた給紙部に格納されているシートの綴じの強度に関するメッセージ２２０２が表示されている。
【０１２２】
ユーザは、綴じの上限枚数と綴じの強度に関するメッセージを読んで、現在指定されている給紙部に格納されているシートを綴じるのに第２の綴じ処理が十分であるかを判断することができる。また、ユーザが不十分と判断した場合には、キー２２０１を押下して、シートの変更（給紙部の変更）が可能である。
【０１２３】
ＣＰＵ１８０１は、図２０の画面でタブキー２００２が押下されていないとＳ１９１０で判断した場合、図２０の画面でＯＫキー２００３が押下されたかどうかを判断する（Ｓ１９１７）。
【０１２４】
ＯＫキー２００３が押下された場合、ＣＰＵ１８０１は、ＨＤＤ１８０３に保持されている設定値に従って印刷データを生成する（Ｓ１９１８）。さらに、ＣＰＵ１８０１は印刷データを画像処理装置に送信するよう通信部１８０７を制御する（Ｓ１９１８）。
【０１２５】
画像処理装置は、印刷データで指定された給紙部からシートを搬送し、搬送されたシートに印刷データに基づく画像を印刷し、さらに印刷データで指定された綴じ処理を実行する。
【０１２６】
ＯＫキー２００３が押下されていない場合、ＣＰＵ１８０１はＳ１９０１に戻る。図２０〜２２の画面では、その他のキーも表示されているが、その他のキーについては説明を省略する。
【０１２７】
第２の実施形態では、情報処理装置から画像処理装置に印刷データを送信し、画像処理装置が印刷データに基づいて綴じ処理を実行する場合でも、ユーザは、綴じの上限枚数と綴じの強度がより大きい他のシートがあることを確認できる。
【０１２８】
＜その他の実施形態＞
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１２９】
また、各フローチャートに基づく処理を実行するよう設計された制御回路がＣＰＵ１０１やＣＰＵ１８０１の代わりに用いられていてもよい。
【符号の説明】
【０１３０】
１０１  ＣＰＵ
１０２  ＲＯＭ
１０３  ＳＲＡＭ
１０４  ＤＲＡＭ
１０５  操作部
１０６  読取部
１０７  印刷部
１０８  通信部
１０９  シート処理部
２０１  給紙部
２０２  給紙部
２０３  搬送ローラ
２０４  搬送ローラ
２０５  搬送ローラ
２０６  搬送ローラ
２０７  排紙部
２０８  搬送ローラ
２０９  搬送ローラ
２１０  反転パス
２１１  搬送ローラ
２１２  両面印刷用搬送パス
２１３  搬送ローラ
１８０１  ＣＰＵ
１８０２  ＲＯＭ
１８０３  ＨＤＤ
１８０４  ＲＡＭ
１８０５  キーボード
１８０６  ディスプレイ
１８０７  通信部
【図１】
2014141025.tif 000003
【図２】
2014141025.tif 000004
【図３】
2014141025.tif 000005
【図４】
2014141025.tif 000006
【図５】
2014141025.tif 000007
【図６】
2014141025.tif 000008
【図７】
2014141025.tif 000009
【図８】
2014141025.tif 000010
【図９】
2014141025.tif 000011
【図１０】
2014141025.tif 000012
【図１１】
2014141025.tif 000013
【図１２】
2014141025.tif 000014
【図１３】
2014141025.tif 000015
【図１４】
2014141025.tif 000016
【図１５】
2014141025.tif 000017
【図１６】
2014141025.tif 000018
【図１７】
2014141025.tif 000019
【図１８】
2014141025.tif 000020
【図１９】
2014141025.tif 000021
【図２０】
2014141025.tif 000022
【図２１】
2014141025.tif 000023
【図２２】
2014141025.tif 000024